(57)【要約】【課題】カラオケ装置が設置された場所以外にて提供される情報に関連づけて当該選曲番号を入力させることができるので、当該選曲番号を入力する際の利便性を向上させたカラオケ用の選曲装置を提供すること。【解決手段】カラオケ装置１００は、図１に示すように、ユーザがリモコン装置などによって選曲したカラオケデータを再生して拡声する再生機能の他に、当該ユーザが所有する携帯用電話機３００から当該携帯用電話機３００にて用いられるコンテンツデータを特定するための特定データを取得し、当該取得した特定データに基づいてカラオケデータの選曲を行うようになっている。【選択図】図１
2007163778.tif 000002
【特許請求の範囲】
【請求項１】
カラオケ用の楽曲データを再生するカラオケ装置にて当該楽曲データを他の楽曲データから識別するための楽曲識別情報を用いて選曲する選曲装置であって、
コンテンツデータの種別を示す種別情報と当該コンテンツデータを識別するためのデータ識別情報
とを携帯用通信端末装置から取得する取得手段と、
前記取得した種別情報およびデータ識別情報に基づいて、データベースに当該種別情報および当該データ識別情報に対応付けて予め記憶された前記楽曲識別情報を検出する検出手段と、
前記検出された楽曲識別情報をカラオケ用の楽曲データを再生する前記カラオケ装置に出力し、当該楽曲データを選曲する選曲手段と、
を備えることを特徴とする選曲装置。
【請求項２】
請求項１に記載の選曲装置において、
前記データベースを更に備えていることを特徴とする選曲装置。
【請求項３】
請求項１に記載の選曲装置において、
前記検出手段が、ネットワークを介してデータベースと通信回線を確立し、該当する前記楽曲識別情報を検出することを特徴とする選曲装置。
【請求項４】
請求項１乃至３の何れか一項に記載の選曲装置において、
前記データベースには、音データ、画像データ、文書データの少なくとも何れか一の種別を示す前記種別情報が、前記データ識別情報とともに前記楽曲識別情報に対応付けて記憶されている場合に、
前記取得手段が、音データ、画像データ、文書データの少なくとも何れか一の種別を示す前記種別情報を取得するとともに、
前記検出手段が、前記取得したデータ識別情報とともに、前記取得した音データ、画像データ、文書データの少なくとも何れか一の種別を示す前記種別情報に基づいて、該当する前記楽曲識別情報を検出することを特徴とする選曲装置。
【請求項５】
請求項１乃至４の何れか一項に記載の選曲装置において、
前記取得手段が、前記種別情報および前記データ識別情報とともに、前記カラオケ装置にて前記楽曲識別情報に基づき該当する楽曲データを再生する際の再生制御を行うための制御情報を取得し、
前記選曲手段が、前記楽曲識別情報とともに前記取得された制御情報を前記カラオケ装置に出力することを特徴とする選曲装置。
【請求項６】
カラオケ用の楽曲データを再生するカラオケ装置にて当該楽曲データを他の楽曲データから識別するための楽曲識別情報を用いて選曲する選曲方法であって、
コンテンツデータの種別を示す種別情報と当該コンテンツデータを識別するためのデータ識別情報とを携帯用通信端末装置から取得する取得工程と、
前記取得した種別情報およびデータ識別情報に基づいて、データベースに当該種別情報および当該データ識別情報に対応付けて予め記憶された前記楽曲識別情報を検出する検出工程と、
前記検出された楽曲識別情報をカラオケ用の楽曲データを再生する前記カラオケ装置に出力し、当該楽曲データを選曲する選曲工程と、
を含むことを特徴とする選曲方法。
【請求項７】
コンピュータを、カラオケ用の楽曲データを再生するカラオケ装置にて当該楽曲データを他の楽曲データから識別するための楽曲識別情報を用いて選曲する選曲プログラムであって、
前記コンピュータを、
コンテンツデータの種別を示す種別情報と当該コンテンツデータを識別するためのデータ識別情報とを携帯用通信端末装置から取得する取得手段、
前記取得した種別情報およびデータ識別情報に基づいて、データベースに当該種別情報および当該データ識別情報に対応付けて予め記憶された前記楽曲識別情報を検出する検出手段、
前記検出された楽曲識別情報をカラオケ用の楽曲データを再生する前記カラオケ装置に出力し、当該楽曲データを選曲する選曲手段、
として機能させることを特徴とする選曲プログラム。
【請求項８】
カラオケ用の楽曲データを他の楽曲データから識別するための楽曲識別情報を用いて選曲し、再生するカラオケシステムであって、
コンテンツデータの種別を示す種別情報と当該コンテンツデータを識別するためのデータ識別情報とを携帯用通信端末装置から取得する取得手段と、
前記取得した種別情報およびデータ識別情報に基づいて、データベースに当該種別情報および当該データ識別情報に対応付けて予め記憶された前記楽曲識別情報を検出する検出手段と、
前記検出された楽曲識別情報に基づいてカラオケ用の楽曲データを取得して再生する再生手段と、
を備えることを特徴とするカラオケシステム。
【発明の詳細な説明】
【技術分野】
【０００１】
本発明は、カラオケ用の楽音を再生するカラオケシステムに関し、特に、カラオケの楽曲データを選曲する際の選曲装置の技術分野に属する。
【背景技術】
【０００２】
近年、伴奏のみからなる楽曲データ（いわゆる、カラオケ用楽曲データ）を再生し、当該再生された楽曲データに併せてユーザが歌うカラオケは、娯楽や趣味として認知されている。また、最近では、一の店舗を複数の部屋に分け、各部屋毎に専用の装置、すなわち、カラオケ装置を設置してカラオケを提供するカラオケボックスなど、飲食店のサービスの一つとして提供されるのみならず、カラオケそのものを提供する店舗も多く出現し、数人のグループにてカラオケに興じることも広く行われている。
【０００３】
従来、このようなカラオケ装置は、カラオケ用の楽曲データ（以下、「カラオケデータ」という。）を膨大に備えており、または、通信によって取得するようになっており、カラオケを行うユーザは、カラオケ装置に、各曲毎に付与された選曲番号から自己の希望する曲に対する選曲番号を選択し、当該選択された選曲番号をカラオケ装置に入力するようになっている。
【０００４】
特に、最近では、専用のリモコン装置の他に、ユーザの利便性の観点から当該ユーザが所有する携帯用電話機など携帯通信端末装置によって当該選曲番号を入力するものまたは当該入力に用いられるものが知られている（例えば、特許文献１）。
【特許文献１】特開平１０−２７１２２９号公報
【発明の開示】
【発明が解決しようとする課題】
【０００５】
しかしながら、上述のように、ユーザが所有する携帯用通信端末装置にて選曲番号を入力する装置にあっては、結局、専用のリモコン装置と同様に、ユーザによって選曲番号を入力させる必要があり、当該ユーザにとっては煩雑な作業を強いることになる。
【０００６】
また、このような選曲番号を入力する装置にあっては、カラオケ装置が設置された場所にて提供された選曲番号表などをユーザに閲覧させて当該選曲番号を入力させ、または、当該カラオケ装置が設置された場所にて提供される選曲番号を入力するための入力装置によって当該選曲番号を入力するようになっており、カラオケ装置が設置された場所以外にて提供される情報に関連づけて当該選曲番号を入力させることができない。
【０００７】
本発明は、上記の課題の一例を解決するものとして、カラオケ装置が設置された場所以外にて提供される情報に関連づけて当該選曲番号を入力させることができるので、当該選曲番号を入力する際の利便性を向上させたカラオケ用の選曲装置等を提供することにある。
【課題を解決するための手段】
【０００８】
上記の課題を解決するために、
請求項１に記載の発明は、
カラオケ用の楽曲データを再生するカラオケ装置にて当該楽曲データを他の楽曲データから識別するための楽曲識別情報を用いて選曲する選曲装置であって、コンテンツデータの種別を示す種別情報と当該コンテンツデータを識別するためのデータ識別情報とを携帯用通信端末装置から取得する取得手段と、前記取得した種別情報およびデータ識別情報に基づいて、データベースに当該種別情報および当該データ識別情報に対応付けて予め記憶された前記楽曲識別情報を検出する検出手段と、前記検出された楽曲識別情報をカラオケ用の楽曲データを再生する前記カラオケ装置に出力し、当該楽曲データを選曲する選曲手段と、を備える構成を有している。
【０００９】
この構成により、請求項１に記載の発明は、取得した種別情報およびデータ識別情報に基づいてデータベースを検索して楽曲識別情報を検出し、検出された楽曲識別情報をカラオケ用の楽曲データを再生する前記カラオケ装置に出力して当該楽曲データを選曲する。
【００１０】
したがって、請求項１に記載の発明は、携帯用通信端末装置にて用いられたコンテンツデータに基づいてカラオケ用の楽曲データを選曲することができるので、カラオケ装置が設置された場所以外にて提供される情報に関連づけて当該選曲番号を入力させることができるとともに、カラオケ用の楽曲を選曲する際に選曲番号などのユーザにおける選曲作業などの煩雑さを解消し、ユーザにおける利便性を向上させることができる。
【００１１】
なお、請求項１に記載の発明は、請求項２または３に記載されるように、
データベースを選曲装置内部に更に備えていてもよいし、当該選曲装置の外部に設けられ、検出手段が、ネットワークを介してデータベースと通信回線を確立し、該当する楽曲識別情報を検出するようにしてもよい。
【００１２】
また、請求項４に記載の発明は、請求項１乃至３の何れか一項に記載の選曲装置において、前記データベースには、音データ、画像データ、文書データの少なくとも何れか一の種別を示す前記種別情報が前記データ識別情報とともに、前記楽曲識別情報に対応付けて記憶されている場合に、前記取得手段が、音データ、画像データ、文書データの少なくとも何れか一の種別を示す前記種別情報を取得するとともに、前記検出手段が、前記取得したデータ識別情報とともに、前記取得した音データ、画像データ、文書データの少なくとも何れか一の種別を示す前記種別情報に基づいて、該当する前記楽曲識別情報を検出する構成を有している。
【００１３】
この構成により、請求項４に記載の発明は、コンテンツデータとして音データ、画像データまたは文書データを用いることができるので、種々のコンテンツデータによって選曲することができる。
【００１４】
また、請求項５に記載の発明は、請求項１乃至４の何れか一項に記載の選曲装置において、前記取得手段が、前記種別情報および前記データ識別情報とともに、前記カラオケ装置にて前記楽曲識別情報に基づき該当する楽曲データを再生する際の再生制御を行うための制御情報を取得し、前記選曲手段が、前記楽曲識別情報とともに前記取得された制御情報を前記カラオケ装置に出力する構成を有している。
【００１５】
この構成により、請求項５に記載の発明は、携帯用通信端末装置にて選曲する際に、選曲する楽曲データのテンポまたは音程等の当該楽曲データを再生する際に必要な制御情報を、選曲を行う携帯用通信端末装置にて提供することができるので、楽曲データの選曲時の煩雑さを解消し、ユーザにおける利便性を向上させることができる。
【００１６】
また、請求項６に記載の発明は、カラオケ用の楽曲データを再生するカラオケ装置にて当該楽曲データを他の楽曲データから識別するための楽曲識別情報を用いて選曲する選曲方法であって、コンテンツデータの種別を示す種別情報と当該コンテンツデータを識別するためのデータ識別情報とを携帯用通信端末装置から取得する取得工程と、前記取得した種別情報およびデータ識別情報に基づいて、データベースに当該種別情報および当該データ識別情報に対応付けて予め記憶された前記楽曲識別情報を検出する検出工程と、前記検出された楽曲識別情報をカラオケ用の楽曲データを再生する前記カラオケ装置に出力し、当該楽曲データを選曲する選曲工程と、を含む構成を有している。
【００１７】
この構成により、請求項５に記載の発明は、取得した種別情報およびデータ識別情報に基づいてデータベースを検索して楽曲識別情報を検出し、検出された楽曲識別情報をカラオケ用の楽曲データを再生する前記カラオケ装置に出力して当該楽曲データを選曲する。
【００１８】
したがって、請求項６に記載の発明は、携帯用通信端末装置にて用いられたコンテンツデータに基づいてカラオケ用の楽曲データを選曲することができるので、カラオケ装置が設置された場所以外にて提供される情報に関連づけて当該選曲番号を入力させることができるとともに、カラオケ用の楽曲を選曲する際に選曲番号などのユーザにおける選曲作業などの煩雑さを解消し、ユーザにおける利便性を向上させることができる。
【００１９】
また、請求項７に記載の発明は、コンピュータを、カラオケ用の楽曲データを再生するカラオケ装置にて当該楽曲データを他の楽曲データから識別するための楽曲識別情報を用いて選曲する選曲プログラムであって、前記コンピュータを、コンテンツデータの種別を示す種別情報と当該コンテンツデータを識別するためのデータ識別情報とを携帯用通信端末装置から取得する取得手段、前記取得した種別情報およびデータ識別情報に基づいて、データベースに当該種別情報および当該データ識別情報に対応付けて予め記憶された前記楽曲識別情報を検出する検出手段、前記検出された楽曲識別情報をカラオケ用の楽曲データを再生する前記カラオケ装置に出力し、当該楽曲データを選曲する選曲手段、として機能させる講師を有している。
【００２０】
この構成により、請求項７に記載の発明は、取得した種別情報およびデータ識別情報に基づいてデータベースを検索して楽曲識別情報を検出し、検出された楽曲識別情報をカラオケ用の楽曲データを再生する前記カラオケ装置に出力して当該楽曲データを選曲する。
【００２１】
したがって、請求項７に記載の発明は、携帯用通信端末装置にて用いられたコンテンツデータに基づいてカラオケ用の楽曲データを選曲することができるので、カラオケ装置が設置された場所以外にて提供される情報に関連づけて当該選曲番号を入力させることができるとともに、カラオケ用の楽曲を選曲する際に選曲番号などのユーザにおける選曲作業などの煩雑さを解消し、ユーザにおける利便性を向上させることができる。
【００２２】
また、請求項８に記載の発明は、カラオケ用の楽曲データを他の楽曲データから識別するための楽曲識別情報を用いて選曲し、再生するカラオケシステムであって、コンテンツデータの種別を示す種別情報と当該コンテンツデータを識別するためのデータ識別情報とを携帯用通信端末装置から取得する取得手段と、前記取得した種別情報およびデータ識別情報に基づいて、データベースに当該種別情報および当該データ識別情報に対応付けて予め記憶された前記楽曲識別情報を検出する検出手段と、前記検出された楽曲識別情報に基づいてカラオケ用の楽曲データを取得して再生する再生手段と、を備える構成を有している。
【００２３】
この構成により、請求項８に記載の発明は、取得した種別情報およびデータ識別情報に基づいてデータベースを検索して楽曲識別情報を検出し、検出された楽曲識別情報に基づいてカラオケ用の楽曲データを再生する。
【００２４】
したがって、請求項８に記載の発明は、携帯用通信端末装置にて用いられたコンテンツデータに基づいてカラオケ用の楽曲データを選曲して再生することができるので、カラオケ装置が設置された場所以外にて提供される情報に関連づけて当該選曲番号を入力させることができるとともに、カラオケ用の楽曲を選曲する際に選曲番号などのユーザにおける選曲作業などの煩雑さを解消し、ユーザにおける利便性を向上させることができる。
【発明の効果】
【００２５】
本願の発明は、携帯用通信端末装置にて用いられたコンテンツデータに基づいてカラオケ用の楽曲データを選曲することができるので、カラオケ装置が設置された場所以外にて提供される情報に関連づけて当該選曲番号を入力させることができるとともに、カラオケ用の楽曲を選曲する際に選曲番号などのユーザにおける選曲作業などの煩雑さを解消し、ユーザにおける利便性を向上させることができる。
【発明を実施するための最良の形態】
【００２６】
次に、本発明に好適な実施の形態について、図面に基づいて説明する。
【００２７】
以下に説明する実施の形態は、カラオケ用の楽曲データ（以下、単に「カラオケデータ」という。）の選曲番号に基づいて再生するカラオケ装置
に対して本願の選曲装置またはカラオケシステムを適用した場合の実施形態である。
まず、図１を用いて本願に係る本実施形態におけるカラオケ装置の概要について説明する。なお、図１は、本願に係る本実施形態におけるカラオケ装置の構成を示す構成図である。
【００２８】
本実施形態のカラオケ装置１００は、図１に示すように、ユーザがリモコン装置などによって選曲したカラオケデータを再生して拡声する再生機能の他に、当該ユーザが所有する携帯用電話機３００から当該携帯用電話機３００にて用いられるコンテンツデータを特定するためのデータ（以下、「特定データ」という。）を取得し、当該取得した特定データに基づいてカラオケデータの選曲を行うようになっている。
【００２９】
特に、本実施形態のカラオケ装置１００は、特定データとして、例えば、携帯用電話機３００にて記憶されている着信時に当該着信を告知するためのまたは視聴するための楽曲のデータ、当該携帯用電話機３００において操作中に操作画面の背景として表示される背景画像その他の画像データ、および、ホームページなどのWWW（World Wide Web）システムを使ってインターネット上に公開されたＷｅｂページを構成するリソースデータ（以下、「Ｗｅｂページデータ」という。）または当該リソースデータに関連して配信された文書データを取得するようになっている。
【００３０】
また、このカラオケ装置１００は、取得した特定データに基づいて、コンテンツデータの種別毎に、コンテンツデータを識別するための識別情報（以下、「コンテンツＩＤ」という。）とカラオケデータを選曲するための選曲番号のデータ（以下、「選曲番号データ」という。）が予め記憶された選曲用のデータベース（以下、「選曲データベース」）２００を検索し、該当する選曲番号データを検出するようになっている。そして、このカラオケ装置１００は、検出された選曲番号データに基づいてカラオケデータを再生するようになっている。
【００３１】
なお、本実施形態の携帯用電話機３００は、搭載されたアプリケーションを用いて、音データその他のコンテンツデータを種別データおよびコンテンツＩＤの特定データを所定の記憶領域に記憶するようになっており、当該特定データをカラオケ装置１００に送信する場合には、アプリケーションによって当該特定データの送信準備を行うようになっている。
【００３２】
次に、上述と同様に図１を用いて本実施形態のカラオケ装置１００の具体的な構成およびその動作について説明する。
【００３３】
本実施形態のカラオケ装置１００は、図１に示すように、選曲データベース２００と、携帯電話機と近距離無線通信を行い、特定データを取得する通信部１１０と、データベースを用いて選曲番号データを検出する検出部１２０と、検出された選曲番号データをカラオケ再生部１５０に出力する出力部１３０と、各部を制御するシステム制御部１４０と、を備えている。
【００３４】
また、このカラオケ装置１００は、選曲番号データに基づいて特定のサーバ装置またはＤＶＤなどの記憶媒体からカラオケデータを取得して再生するカラオケ再生部１５０と、カラオケデータの再生その他の操作を行う操作部１６０と、再生されたカラオケデータに対応してカラオケ用の楽音をスピーカＳＰに拡声させる拡声処理部と、カラオケデータの再生中に画像および歌詞を表示するための表示部１８０と、表示部１８０を制御する表示制御部１９０と、を備えている。
【００３５】
なお、例えば、本実施形態の選曲データベース２００は、本発明のデータベースを構成し、通信部１１０は、本発明の取得手段を構成する。また、例えば、本実施形態の検出部１２０は、本発明の検出手段および選曲手段を構成し、カラオケ再生部１５０は、本発明の再生手段を構成する。
【００３６】
選曲データベース２００は、コンテンツデータの種別毎に、コンテンツＩＤを選曲番号データに対応付けて格納するためのデータベースである。例えば、この選曲データベース２００には、図２に示すように、コンテンツデータの種別毎に、コンテンツＩＤと、カラオケ用の音データを選択するための楽曲番号、カラオケデータの再生中に表示させる歌詞を選択するための歌詞番号および当該ラオケデータの再生中に表示部１８０に表示させる背景画像を選択するための画像番号から構成される選曲番号データと、が対応付けて記憶されている。
【００３７】
通信部１１０は、システム制御部１４０の制御の下、図示しないアンテナを介して携帯用電話機３００と所定の近距離無線通信を行うようになっており、当該近距離無線通信によって携帯用電話機３００から特定データを取得するようになっている。
【００３８】
例えば、本実施形態の通信部１１０は、携帯用電話機３００を載置するための載置部分を有し、当該載置部分に配設されたループアンテナを介して携帯用電話機３００に組み込まれたＩＣカードとデータ通信を行うようになっており、搭載されたアプリケーションなどによって特定データの送信準備が為されている携帯用電話機３００を載置部分に載置すると、当該載置を検出して特定データを取得するようになっている。
【００３９】
なお、本実施形態の通信部１１０は、赤外線通信またはブルートゥース（Bluetooth／登録商標）などの近距離無線通信規格によって携帯電話機とデータ通信を行うようにしてもよい。
【００４０】
検出部１２０は、システム制御部１４０の制御の下、通信部１１０にて取得された特定データに基づいて選曲データベース２００を検索し、該当する選曲番号データを検出するようになっている。具体的には、この検出部１２０は、特定データにて、コンテンツデータの種別およびコンテンツＩＤを特定し、当該特定した種別およびコンテンツＩＤに対応する、楽曲番号、歌詞番号および画像番号を選曲番号データとして検出するようになっている。
【００４１】
例えば、通信部１１０において取得された特定データが、コンテンツデータの種別が音データであって、そのコンテンツＩＤが「６５７９９」の場合には、本実施形態の検出部１２０は、図２に示すように、楽曲番号「７５２０１」、歌詞番号「１７５２０１」および画像番号「４４５」を選曲番号データとして検出するようになっている。
【００４２】
出力部１３０は、検出部１２０において検出された選曲番号データを所定の通信形式によってカラオケ再生部１５０に出力するようになっている。
【００４３】
システム制御部１４０は、主に中央演算処理装置（ＣＰＵ）とＲＯＭおよびＲＡＭによって構成され、各部とバスＢによって接続されている。また、このシステム制御部１４０は、操作部１６０を介して入力された選曲番号に基づいてカラオケデータの再生制御を行うとともに、携帯用電話機３００から特定データを取得してカラオケデータの選曲を行い、当該カラオケデータの再生を制御する携帯電話を用いた選曲処理（以下、単に、「選曲処理」という。）の制御を行うようになっている。なお、このシステム制御部１４０における選曲処理の動作の詳細については、後述する。
【００４４】
カラオケ再生部１５０は、ネットワークと介して図示しないサーバ装置と接続されているとともに、画像データを記憶する図示しないＤＶＤなどの記憶媒体の読み出し制御を行うようになっている。
【００４５】
また、このカラオケ再生部１５０は、システム制御部１４０の制御の下、操作部１６０を介して入力された選曲番号または携帯電話を用いた選曲処理にて出力部１３０から出力された選曲番号データに基づいて、サーバ装置および記憶媒体からカラオケデータを取得するとともに、取得したカラオケデータに対して再生処理を行い、音データを拡声処理部１７０に、歌詞および背景画像などの画像に関する画像データを表示部１８０に所定のタイミングにて出力するようになっている。
【００４６】
操作部１６０は、カラオケ装置１００の筐体前面等に設けられたコントロールパネルまたはリモートコントロールユニットによって構成され、各種確認ボタン及び数字キー等の多数のキーを有している。
【００４７】
特に、本実施形態の操作部１６０は、カラオケデータの選曲、図示しないマイクロホンの音量操作など各種の操作指示を入力する際に用いられるようになっている。
【００４８】
拡声処理部１７０は、システム制御部１４０の制御の下、カラオケ再生部１５０から出力された音データをアナログ形式のオーディオ信号に変換する処理および変換されたオーディオ信号を所定のレベルに増幅してスピーカＳＰに出力する処理を行うようになっている。
【００４９】
なお、スピーカＳＰは、カラオケ装置が設けられた設置場所によって適したシステムによって構成されている。
【００５０】
表示部１８０は、例えば、液晶表示素子またはＣＲＴ（Cathode Ray Tube）によって構成され、表示部１８０の制御にしたがって所定の映像信号を表示するようになっている。具体的には、この表示部１８０は、背景画像を表示しつつ、音データの出力、すなわち、再生される楽曲に併せて歌詞データを表示するようになっている。
【００５１】
表示制御部１９０は、システム制御部１４０の制御の下、背景を表示するための画像データおよび歌詞データに基づいて、表示部１８０に表示させるための表示データを生成し、各生成された表示データを重畳させて表示部１８０に出力するようになっている。特に、この表示制御部１９０は、背景画像と歌詞データを重畳的に表示部１８０に表示させるとともに、音データの出力、すなわち、再生される楽曲に併せて歌詞データを表示部１８０に表示させるための表示制御を行うようになっている。
【００５２】
次に、図３を用いて本実施形態のシステム制御部１４０における選曲処理の動作について説明する。
【００５３】
なお、図３は、本実施形態のシステム制御部１４０における選曲処理の動作を示すフローチャートである。
【００５４】
また、携帯用電話機３００には、既に複数のコンテンツデータがダウンロードされ、それに併せてコンテンツデータの種別データおよびコンテンツＩＤが記憶されているものとする。
【００５５】
まず、ユーザが特定データの送信準備が為された携帯用電話機３００を通信部１１０の載置部分に載置させ、通信部１１０が当該携帯用電話機３００から特定データを取得したことを検出すると（ステップＳ１０１）、システム制御部１４０は、検出部１２０に特定データに基づいてコンテンツデータの種別データとコンテンツＩＤを認識させる（ステップＳ１０２）。
【００５６】
次いで、システム制御部１４０は、検出部１２０に認識された種別データとコンテンツＩＤに基づいて選曲データベース２００を検索させ（ステップＳ１０３）、該当する選曲番号データがある否かを判断させる（ステップＳ１０４）
このとき、システム制御部１４０は、該当する選曲番号データが記憶されていないと判断された場合には、本動作を終了させる。
【００５７】
一方、検出部１２０が該当する選曲番号データが選曲データベース２００内に記憶されていると判断すると、システム制御部１４０は、検出部１２０に選曲番号データを構成する各データを取得させ、出力部１３０を介してカラオケ再生部１５０に出力させる（ステップＳ１０５）。
【００５８】
最後に、システム制御部１４０は、カラオケ再生部１５０に選曲番号データに基づいてカラオケデータを取得させて再生を開始させ（ステップＳ１０６）、本動作を終了させる。
【００５９】
以上本実施形態のカラオケ装置１００は、取得した種別データおよびコンテンツＩＤに基づいて選曲データベース２００を検索して選曲番号データを検出し、検出された選曲番号データに基づいてカラオケデータを再生するので、携帯用電話機３００にて用いられたコンテンツデータに基づいてカラオケデータを選曲することができる。
【００６０】
したがって、実施形態のカラオケ装置１００は、携帯用電話機３００にて取得したコンテンツデータに基づいて、すなわち、カラオケ装置１００が設置された場所以外にて提供される情報に関連づけて当該カラオケデータを選曲するための番号を入力させることができるとともに、カラオケデータを選曲するための入力作業などの煩雑さを解消し、ユーザにおける利便性を向上させることができる。
【００６１】
また、本実施形態のカラオケ装置１００は、コンテンツデータとして音データ、画像データまたは文書データを用いることができるので、種々のコンテンツデータによって多くのカラオケ用の楽曲を選曲することができる。
【００６２】
なお、本実施形態の選曲データベース２００は、カラオケ装置１００に設けられているが、勿論、インターネットその他のネットワークによって当該カラオケ装置１００と接続されるサーバ装置に設けられていてもよい。この場合には、検出部１２０は、サーバ装置と通信を行うことによって選曲番号データの検索および取得を行う。
【００６３】
また、本実施形態のカラオケ装置１００は、上述のように、選曲処理を行うようになっているが、当該カラオケ装置１００にコンピュータおよび記録媒体を備えるとともに、この選曲処理を行う制御プログラムを記録媒体に格納し、このコンピュータで当該制御プログラムを記録媒体から読み込むことによって上述と同様の処理を行うようにしてもよい。
【００６４】
また、本実施形態のカラオケ装置１００において、選曲データベース２００、検出部１２０および出力部１３０は、携帯用電話機３００に備えていてもよい。この場合には、携帯用電話機３００に搭載されるアプリケーションによって、コンテンツデータの種別データおよびコンテンツＩＤに基づいて選曲データベース２００から選曲番号データ、具体的には、操作部１６０を介してカラオケ装置１００に入力する際に用いられる番号と同様の楽曲番号を検出し、当該楽曲番号を本実施形態の通信部１１０を介してカラオケ装置１００に出力するようにしてもよい。ただし、選曲データベース２００は、上述と同様に、インターネットその他のネットワークによって接続されるサーバ装置に設けられていてもよい。
なお、本実施形態のカラオケ装置１００では、携帯用電話機３００から取得した種別データおよびコンテンツＩＤに基づいて選曲番号データを特定し、カラオケデータを選曲するようになっているが、種別データおよびコンテンツＩＤとともに、カラオケデータを再生する際の「音程キー」の情報、「テンポ」の情報など再生に係る情報（以下、「再生情報」という。）およびカラオケデータを再生した際に一緒に歌った友人の名称など当該カラオケデータを前回再生した際の状況を示す状況情報を取得し、当該状況情報によってカラオケ装置１１０における再生制御を行うとともに、状況情報を表示部１７０に表示するようにしてもよい。
【００６５】
この場合には、カラオケ装置１００は、カラオケデータの再生終了後に、ユーザの指示に従い、種別データまたはコンテンツＩＤを取得する際の処理と逆の処理を行うようになっており、再生情報および状況情報を携帯用電話機３００に提供するようになっている。ただし、携帯用電話機３００は、再生情報および状況情報を取得するためのアプリケーションが動作可能な機能と、当該再生情報および状況情報を記憶可能な機能と、を備えていることを前提とする。
【図面の簡単な説明】
【００６６】
【図１】本願に係る携帯用電話機における一実施形態の構成を示す構成図である。
【図２】一実施形態における選曲データベースに記憶されるデータの一例である。
【図３】一実施形態のシステムシステム制御部に選曲処理の動作を示すフローチャートである。
【符号の説明】
【００６７】
１００  …  カラオケ装置
１１０  …  通信部
１２０  …  検出部
１３０  …  出力部
１４０  …  システム制御部
１５０  …  カラオケ再生部
１６０  …  操作部
１７０  …  拡声処理部
１８０  …  表示部
１９０  …  表示制御部
２００  …  データベース
３００  …  携帯用電話機
ＳＰ  …  スピーカ
【図１】
2007163778.tif 000003
【図２】
2007163778.tif 000004
【図３】
2007163778.tif 000005